【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
汚染された外科用縫合針を受容するための装置であって、前記針は、先端と、後端と、前記先端と前記後端との間に延在する針本体とを有し、前記装置は、
最上部および底部を有する筐体と、
それを通して挿入される汚染された外科用針を受容するように構成および定寸される、前記最上部と前記底部との間の少なくとも１つの開口部と、
固着された前記針先端を伴う配向で前記汚染された外科用針を保持する、前記筐体内の安全ゾーンと、を備える、装置。
【請求項２】
前記配向は、所定の配向を備える、請求項１に記載の装置。
【請求項３】
前記少なくとも１つの開口部は、側方配向で前記汚染された外科用針を受容するように構成および定寸される、請求項１に記載の装置。
【請求項４】
前記外科用針は、曲線状針であり、前記曲線状針本体の少なくとも一部は、その前記先端または前記後端の前に前記開口部に進入する、請求項２に記載の装置。
【請求項５】
前記安全ゾーンは、複数の汚染された外科用針を受容するように構成および定寸される、請求項１に記載の装置。
【請求項６】
前記最上部の少なくとも一部は、前記安全ゾーン内に配置される汚染された針の視覚化を可能にするために十分に透明である、請求項１に記載の装置。
【請求項７】
前記装置は、その中に含まれる複数の汚染された外科用針の点検および計数を可能にする窓を含む、請求項１に記載の装置。
【請求項８】
前記筐体最上部は、針ドライバの制御下で前記筐体の中への前記汚染された外科用針の挿入を促進する、前記針ドライバの先端を受容するように構成および定寸されるスロットを含む、請求項１に記載の装置。
【請求項９】
前記スロットは、前記スロットに対する具体的配向に前記針ドライバを配向するように構成および定寸される、請求項８に記載の装置。
【請求項１０】
前記安全ゾーンは、所定の配向で複数の汚染された外科用針を保持するように針保定特徴を含む、請求項１に記載の装置。
【請求項１１】
前記最上部と前記底部との間で前記汚染された外科用針を保持するように針保定特徴をさらに備える、請求項１に記載の装置。
【請求項１２】
前記針保定特徴は、前記最上部と前記底部との間に配置される発泡体を備える、請求項１１に記載の装置。
【請求項１３】
前記針保定特徴は、前記最上部および前記底部の一方または両方から延在する複数の突出を備える、請求項１１に記載の装置。
【請求項１４】
頂面を通るスロットをさらに備える、請求項１に記載の装置。
【請求項１５】
前記最上部および前記底部の一方または両方は、進入ゾーン、遷移ゾーン、および安全ゾーンを画定し、かつ／または
前記進入ゾーンは、前記進入ゾーンに向かった前記針の移動を促進するように前記進入ゾーンより幅が広い降着ゾーンを画定し、かつ／または
前記進入ゾーンは、頂面内のスロットに向かって汚染された針を保持する針ドライバを押勢する少なくとも１つの構造を含む、請求項１に記載の装置。
【手続補正２】
【補正対象書類名】明細書
【補正対象項目名】００１７
【補正方法】変更
【補正の内容】
【００１７】
本開示は、現在利用可能な装備された縫合糸およびそれらが分与されるパッケージが、外科医によるより容易かつ効率的な装填のために、外科医の前腕、手首、または手と関連付けられることができ、手術室技術者からの補助の必要性を低減させる、複数の概念、技術、およびデバイスを提供する。さらに、本明細書では、外科医の前腕、手首、または手、もしくは他の支持体の上の支持プラットフォームへの単一または複数の縫合パッケージの容易かつ効率的な取付を可能にする概念および技術を組み込むことができる、新たに設計された縫合パッケージまたは現在利用可能なパッケージへの修正が開示される。本明細書に開示される実施形態は、外科医が手術衣および手袋を着用しているときに使用するために非常に適している。分与された使用済みの針のための針格納デバイスもまた、外科医の前腕、手首、または手、ならびに外科医への針の突き刺しの可能性を減少させる保護障壁および機構と関連付けられることができる。
本発明は、例えば、以下を提供する。
（項目１）
縫合針を取り扱うための方法であって、
支持体上に搭載される縫合パッケージから縫合針を分与するように、針ドライバで前記縫合針を把持するステップと、
前記支持体上に搭載される針レセプタクルの中へ前記分与された縫合針を配置するステップと、を含む、方法。
（項目２）
前記分与された縫合針の先端は、前記把持するステップおよび前記配置するステップの間に外科医から離して配向される、項目１に記載の方法。
（項目３）
前記分与された縫合針は、前記把持するステップから前記配置するステップまで２フィート未満移動する、項目１に記載の方法。
（項目４）
前記分与された縫合針は、前記把持するステップおよび配置するステップの間に近接した手術野内にとどまる、項目１に記載の方法。
（項目５）
前記近接した手術野は、外科医の胴体の前側から切開まで延在する長さ、中立回転位置で前記外科医の前腕の間に延在する幅、および前記切開の高さから前記外科医の肩まで垂直に延在する高さによって境界される、項目４に記載の方法。
（項目６）
前記縫合パッケージおよび前記針レセプタクルは、前記外科医が前記縫合パッケージから複数の針を分与し、外科医の腕の外旋を伴わずに前記針レセプタクルの中に前記複数の針を配置するために配列される、項目１に記載の方法。
（項目７）
前記近接した手術野は、前記切開の約２フィート、前記切開の１．５フィート、もしくは前記切開の１フィートのうちの１つ以上の内側に配置される空間を備える、項目４に記載の方法。
（項目８）
前記縫合パッケージおよび前記針レセプタクルは、前記支持体に取り付けられる、項目１に記載の方法。
（項目９）
複数の縫合針が前記縫合パッケージから分与され、前記針レセプタクルの中へ配置されるまで、前記把持するステップおよび配置するステップを繰り返すステップをさらに含む、項目１に記載の方法。
（項目１０）
前記分与された縫合針は、縫合糸に取り付けられ、前記方法はさらに、前記分与された縫合針および前記針ドライバを用いて患者の中へ前記縫合糸を設置するステップを含む、項目１に記載の方法。
（項目１１）
複数の縫合糸が前記患者の中に設置されるまで、前記把持するステップ、設置するステップ、および配置するステップを繰り返すステップをさらに含む、項目１０に記載の方法。
（項目１２）
前記縫合パックおよび前記針レセプタクルは、外科医が片手で前記把持するステップおよび配置するステップを行うために配列される、項目１に記載の方法。
（項目１３）
前記支持体は、外科医によって制御される可動支持体を備える、項目１に記載の方法。
（項目１４）
前記針レセプタクルは、前記針レセプタクル上で安定して支持される縫合糸の１つ以上のリールからスエージ加工された針の縫合糸を分与するために、前記スエージ加工された針に連結される縫合糸の前記１つ以上のリールを安定した構成に配置するように位置する構造を備える、項目１に記載の方法。
（項目１５）
片手で前記分与された縫合針に取り付けられた縫合糸を切断するステップをさらに含む、項目１に記載の方法。
（項目１６）
前記支持体は、外科医によって支持されるプラットフォームを備える、項目１に記載の方法。
（項目１７）
前記プラットフォームを前記外科医の手に連結するステップをさらに含む、項目１６に記載の方法。
（項目１８）
トレイ上に支持される複数の縫合パッケージの間で縫合パッケージを選択するステップ、および前記縫合パッケージを前記プラットフォーム上に配置するステップをさらに含む、項目１６に記載の方法。
（項目１９）
トレイ上に支持される複数の針レセプタクルの間で針レセプタクルを選択するステップ、および前記針レセプタクルを前記プラットフォーム上に配置するステップをさらに含む、項目１６に記載の方法。
（項目２０）
前記縫合パッケージ、前記針レセプタクル、および前記支持体は、無菌である、項目１に記載の方法。
（項目２１）
前記支持体もしくは前記プラットフォームのうちの１つ以上は、前記プラットフォームから延在する１つ以上の構造を用いて、外科医の手の背部分上に配置するために構成される、項目１６に記載の方法。
（項目２２）
前記縫合パッケージおよび前記針レセプタクルは、前記縫合パッケージおよび前記針レセプタクルを用いて支持される複数の無害針を伴って、ともに外科医から助手に、およびその逆も同様に渡されることが可能である、内蔵パッケージを備える、項目１６に記載の方法。
（項目２３）
前記プラットフォームを前記外科医の手に連結するステップは、前記外科医の前腕の掌側部分上に前記プラットフォームを配置することを含む、項目１７に記載の方法。
（項目２４）
前記プラットフォームを前記外科医の前記手に連結するステップは、
前記プラットフォームの側面から延在する脚部を提供することと、
前記外科医の前記前腕上で前記プラットフォームを安定させるように、前記外科医の前記手上で前記脚部を係合させることと、を含む、項目１７に記載の方法。
（項目２５）
前記外科医の前記手上で前記脚部を係合させることは、前記外科医の前腕の遠位部分もしくは近位部分のうちの１つ以上を係合することを含む、項目２４に記載の方法。
（項目２６）
前記脚部は、第１の部分もしくは第２の部分のうちの１つ以上での安定した配置のために、少なくとも複数の脚部を備える、項目２５に記載の方法。
（項目２７）
前記脚部は、スラップブレスレットを備える、項目２５に記載の方法。
（項目２８）
前記脚部は、第１の脚部と、第２の脚部とを備え、前記方法はさらに、前記プラットフォームを前記外科医の前記手に固着するように、前記第１の脚部上に第１の連結機構および前記第２の脚部上に第２の連結機構を固着するステップを含む、項目２４に記載の方法。
（項目２９）
前記縫合パッケージを前記プラットフォームに連結するステップをさらに含む、項目１６に記載の方法。
（項目３０）
前記針レセプタクルを前記プラットフォームに連結するステップをさらに含む、項目１６に記載の方法。
（項目３１）
前記支持体もしくは前記プラットフォームのうちの１つ以上は、前記縫合針との接触から前記外科医の前記手を保護するように構成される障壁層を備える、項目１７に記載の方法。
（項目３２）
前記支持体は、外科医によって保持される手術道具を備える、項目１に記載の方法。
（項目３３）
前記外科医は、他方の手で前記手術道具を保持しながら、一方の手で前記把持するステップおよび配置するステップを行う、項目３２に記載の方法。
（項目３４）
複数の縫合パッケージは、前記支持体上に搭載される、項目１に記載の方法。
（項目３５）
前記針レセプタクルの中へ前記分与された縫合針を配置するステップは、前記針レセプタクル内で前記分与された縫合針の両端を無害の状態にすることを含む、項目１に記載の方法。
（項目３６）
前記針レセプタクルの中へ前記分与された縫合針を配置するステップは、前記分与された縫合針の先端に対して前記針レセプタクルの構成要素を圧縮することを含む、項目１に記載の方法。
（項目３７）
前記針レセプタクルの中へ前記分与された縫合針を配置するステップは、前記分与された縫合針を前記針レセプタクル内の発泡材料と接触させることを含む、項目１に記載の方法。
（項目３８）
前記針レセプタクルの中へ前記分与された縫合針を配置するステップは、前記針レセプタクルの中へ前記分与された縫合針を誘導する先細構造の中へ前記分与された縫合針の先端を配置することを含む、項目１に記載の方法。
（項目３９）
前記針レセプタクルのドアを開放するように、前記ドアに連結されるレバーを作動させるステップをさらに含む、項目１に記載の方法。
（項目４０）
前記ドアを通して前記針レセプタクルに前記分与された縫合針を挿入するステップをさらに含む、項目３９に記載の方法。
（項目４１）
前記ドアを閉鎖するように前記レバーを作動させるステップをさらに含む、項目４０に記載の方法。
（項目４２）
前記針ドライバで前記縫合針を把持する前に、前記縫合パッケージが前記針ドライバに対面するように、前記支持体を回転させるステップをさらに含む、項目１に記載の方法。
（項目４３）
前記針ドライバを用いて前記針レセプタクルの中へ前記分与された縫合針を配置する前に、前記針レセプタクルが前記針ドライバに対面するように、前記支持体を回転させるステップをさらに含む、項目１に記載の方法。
（項目４４）
前記針レセプタクルは、仕切りによって分離される複数のチャネルを備え、前記針レセプタクルの中へ前記分与された縫合針を配置するステップは、前記複数のチャネルのうちの１つの中へ前記分与された縫合針を配置することを含む、項目１に記載の方法。
（項目４５）
複数の縫合針は、前記縫合パッケージから分与され、前記針レセプタクルの中へ前記分与された縫合針を配置するステップは、前記複数のチャネルのうちの異なる１つの中へ前記複数の分与された縫合針のそれぞれを配置することを含む、項目４４に記載の方法。
（項目４６）
前記仕切りは、前記分与された縫合針の近位端もしくは遠位端のうちの１つ以上を取り囲む、項目４４に記載の方法。
（項目４７）
前記針レセプタクルは、透明構造を備える、項目１に記載の方法。
（項目４８）
前記支持体は、手術用鉗子の近位部分に連結される、項目１に記載の方法。
（項目４９）
前記縫合パッケージもしくは前記針レセプタクルのうちの１つ以上は、手術用鉗子の近位部分に連結される、項目１に記載の方法。
（項目５０）
前記縫合パッケージおよび前記針レセプタクルは、外科医が近接した手術野内の複数の分与されていない針および複数の分与された針を数えるために配列される、項目１に記載の方法。
（項目５１）
前記縫合パッケージおよび前記針レセプタクルは、外科医が近接した手術野内で針保有量を維持するために配列される、項目１に記載の方法。
（項目５２）
縫合針を取り扱うための装置であって、
複数の縫合針を分与するように構成される縫合パッケージと、
複数の分与された縫合針を格納するように構成される針レセプタクルと、
前記縫合パッケージもしくは前記針レセプタクルのうちの１つ以上を支持するように構成される支持体と、を備える、装置。
（項目５３）
前記針レセプタクルは、外科医から離れて配向される前記縫合針の先端を伴って、前記レセプタクルの中に前記縫合針を配置するように配列される、項目５２に記載の装置。
（項目５４）
前記縫合針は、曲線状縫合針を備え、前記針レセプタクルは、前記外科医から離れて配向される前記縫合針の各端部を伴って、前記レセプタクルの中に前記縫合針を配置するように配列される、項目５３に記載の装置。
（項目５５）
前記針レセプタクルは、前記縫合パッケージを受容し、前記縫合パッケージを安定して支持する構造を備える、項目５３に記載の装置。
（項目５６）
前記縫合パッケージおよび前記針レセプタクルは、前記外科医が前記縫合パッケージから複数の針を分与し、外科医の腕の外旋を伴わずに前記針レセプタクルの中に前記複数の針を配置するために配列される、項目５３に記載の装置。
（項目５７）
前記針レセプタクルは、前記針レセプタクル上で安定して支持される縫合糸の１つ以上のリールからスエージ加工された針の縫合糸を分与するために、前記スエージ加工された針に連結される縫合糸の前記１つ以上のリールを安定した構成に配置するように位置する構造を備える、項目５３に記載の装置。
（項目５８）
片手で前記縫合針の縫合糸を切断するために前記支持体とともに配列されるカッタをさらに備える、項目５３に記載の装置。
（項目５９）
その上に支持された複数の縫合パッケージを有する、無菌トレイをさらに備える、項目５３に記載の装置。
（項目６０）
前記縫合パッケージ、前記針レセプタクル、および前記支持体は、無菌である、項目５３に記載の装置。
（項目６１）
前記支持体もしくは前記プラットフォームのうちの１つ以上は、前記プラットフォームから延在する１つ以上の構造を用いて、外科医の手の背部分上に配置するために構成される、項目５３に記載の装置。
（項目６２）
前記支持体は、前記支持体上で前記縫合パッケージおよび前記針レセプタクルを安定して支持するために、ならびに前記支持体が反転または傾斜させられるときに、前記支持体からの前記縫合パッケージおよび前記針レセプタクルの摺動または落下を阻止するために、前記縫合パッケージおよび前記針レセプタクルに取り付けられるように構成され、前記支持体は、前記縫合パッケージおよび前記針レセプタクルを解放するように構成される、項目５２に記載の装置。
（項目６３）
前記縫合パッケージおよび前記針レセプタクルは、外科医が片手で前記把持および配置するステップを行うために配列される、項目５２に記載の装置。
（項目６４）
前記支持体は、外科医によって制御されるように構成される可動支持体を備える、項目５２に記載の装置。
（項目６５）
前記支持体は、外科医によって支持されるように構成されるプラットフォームを備える、項目５２に記載の装置。
（項目６６）
前記プラットフォームは、前記プラットフォームを前記外科医の手に連結するように構成される連結器を備える、項目６５に記載の装置。
（項目６７）
前記連結器は、前記プラットフォームの側面から延在する１つ以上の脚部を備え、前記脚部は、前記外科医の前記手に係合するように構成される、項目６６に記載の装置。
（項目６８）
前記連結器は、スラップブレスレットを備える、項目６６に記載の装置。
（項目６９）
前記支持体もしくは前記プラットフォームのうちの１つ以上は、分与された縫合針の１つ以上の端部との接触から前記外科医を保護するように構成される障壁を備える、項目６６に記載の装置。
（項目７０）
前記支持体は、近接した手術野内にプラットフォームを配置するように調整可能支持構造に連結される、プラットフォームを備える、項目５２に記載の装置。
（項目７１）
前記支持体は、挟持運動で組織に係合するように構成される、手術用鉗子に連結するように構成される、項目５２に記載の装置。
（項目７２）
前記支持体は、前記手術用鉗子の近位端に連結するように構成される、項目７１に記載の装置。
（項目７３）
前記手術用鉗子は、アドソン鉗子もしくはボニー鉗子のうちの１つ以上を備える、項目７１に記載の装置。
（項目７４）
前記装置は、４５グラム未満の重量がある、項目７１に記載の装置。
（項目７５）
前記縫合パッケージおよび前記針レセプタクルを前記手術道具の近位部分に連結する連結器をさらに備える、項目７１に記載の装置。
（項目７６）
１つ以上の縫合パッケージを支持するように構成される、縫合パッケージホルダをさらに備える、項目７１に記載の装置。
（項目７７）
前記縫合パッケージホルダは、前記手術道具の近位部分に連結される、項目７６に記載の装置。
（項目７８）
前記針レセプタクルおよび前記縫合パッケージは、前記手術道具の反対側で支持される、項目７５に記載の装置。
（項目７９）
前記縫合パッケージホルダおよび前記針レセプタクルは、前記手術道具の同一側で支持される、項目７５に記載の装置。
（項目８０）
前記連結器は、道具取付ポケットを備え、前記手術道具の前記近位部分は、前記道具取付ポケットの中に配置される、項目７５に記載の装置。
（項目８１）
前記道具取付ポケットは、接着層で前記手術道具に連結される、項目８０に記載の装置。
（項目８２）
前記装置は、前記手術道具の前記近位部分に連結される２つの縫合パッケージを備え、前記針レセプタクルは、前記２つの縫合パッケージの間に狭装される、項目７５に記載の装置。
（項目８３）
針ドライバを保持するために前記支持体上に搭載される道具ホルダをさらに備える、項目５２に記載の装置。
（項目８４）
前記針レセプタクルは、前記針レセプタクルの中へ配置される分与された縫合針の両端を含むように構成される、項目５２に記載の装置。
（項目８５）
前記針レセプタクルは、前記針レセプタクルの中へ配置される分与された縫合針の先端に対して前記針レセプタクルの構成要素を圧縮する機構を備える、項目５２に記載の装置。
（項目８６）
前記針レセプタクルは、前記針レセプタクルの中へ分与された縫合針の先端を誘導する先細構造を備える、項目５２に記載の装置。
（項目８７）
前記針レセプタクルは、前記針レセプタクルの中へ配置される分与された縫合針の先端に接触するように成形される発泡材料を備える、項目５２に記載の装置。
（項目８８）
前記針レセプタクルは、ドアを開閉するためのレバーに連結されるドアを備える、項目５２に記載の装置。
（項目８９）
前記針レセプタクルは、４５グラム未満の重量がある、項目５２に記載の装置。
（項目９０）
前記針レセプタクルは、前記複数の分与された縫合針を格納するための複数のチャネルを備える、項目５２に記載の装置。
（項目９１）
前記針レセプタクルはさらに、
電源と、
前記電源に電気的に連結される第１の導体と、
前記電源と第２の導体との間に電気的に連結される第１の視覚インジケータと、
を備え、
前記第１の視覚インジケータは、第１の分与された縫合針が前記第１の導体および前記第２の導体の両方と接触させられるときに、前記複数のチャネルのうちの第１のチャネルの中の前記第１の分与された縫合針の存在を示す、項目９０に記載の装置。
（項目９２）
前記電源は、バッテリを備える、項目９１に記載の装置。
（項目９３）
前記第１の視覚インジケータは、第１のライトを備える、項目９１に記載の装置。
（項目９４）
前記針レセプタクルはさらに、
前記電源と第３の導体との間に電気的に連結される第２の視覚インジケータを備え、
前記第２の視覚インジケータは、第２の使用済みの針が前記第２の導体および前記第３の導体の両方と接触させられるときに、前記複数のチャネルのうちの第２のチャネルの中の前記第２の使用済みの針の存在を示す、項目９１に記載の装置。
（項目９５）
前記第２の視覚インジケータは、第２のライトを備える、項目９４に記載の装置。
（項目９６）
前記針レセプタクルはさらに、前記複数のチャネルの数値マーキングを備える、項目９０に記載の装置。
（項目９７）
前記針レセプタクルは、前記レセプタクルの中に配置されるときに、前記縫合針の両端を無害の状態にするように構成され、前記針レセプタクルは、無害の状態にされた両端を伴う前記針を視認する構造を備える、項目５２に記載の装置。
（項目９８）
前記針レセプタクルは、前記縫合針を受容するように、および針レセプタクル支持体上で前記針レセプタクル内の前記外科用針を安定させるように構成され、前記針レセプタクル支持体は、前記縫合針を安定させるように、磁石、接着剤、もしくは偏向可能材料のうちの１つ以上を備える、項目５２に記載の装置。
（項目９９）
前記針レセプタクルは、前記針レセプタクル内で前記外科用針を安定させるために、摺動移動および前記摺動移動への対応する抵抗を伴って前記縫合針を受容するように構成される、項目５２に記載の装置。
（項目１００）
前記針レセプタクルは、その中の無害の状態にされた複数の縫合針を視認するように透明カバーを備え、前記針レセプタクルは、前記縫合針レセプタクル内に前記複数の縫合針を配置するように開口部を備える、項目５２に記載の装置。
（項目１０１）
前記針レセプタクルは、計数のためにアレイに沿って複数の針を配列するように構造化アレイを備える、項目５２に記載の装置。
（項目１０２）
外科医による縫合針の固着のための方法であって、
針ドライバを用いて縫合針を針レセプタクルの開口部に挿入するステップと、
前記針の端部を材料に挿入するように、前記針レセプタクルの内側で前記縫合針を回転させるステップと、
前記針ドライバから前記縫合針を解放するステップと、を含む、方法。
（項目１０３）
前記挿入するステップでは、前記針は、先端から離れて並進させられ、前記回転させるステップでは、前記針の後端は、変形可能構造に挿入され、前記材料は、変形可能材料、接着材料、もしくは弾性材料のうちの１つ以上を含み、前記材料は、発泡体、弾性膜、もしくは接着剤のうちの１つ以上を含む、項目１０２に記載の方法。
（項目１０４）
外科医による縫合針の固着のための方法であって、
針ドライバを用いて縫合針を針レセプタクルの開口部に挿入するステップと、
前記針レセプタクルの内側で前記縫合針を固着するステップと、
前記針ドライバから前記縫合針を解放するステップと、
を含み、前記針レセプタクルは、複数の縫合針を格納するように構成される、方法。
（項目１０５）
前記針レセプタクルは、近接した手術野内に位置する、項目１０４に記載の方法。
（項目１０６）
前記針レセプタクルは、進入ゾーンと、安全ゾーンとを備え、前記挿入するステップは、前記針レセプタクルの前記進入ゾーン上に前記縫合針を配置するステップを含み、前記固着するステップは、前記進入ゾーンから前記安全ゾーン内の針スロットの中へ前記縫合針を摺動させるステップを含む、項目１０４に記載の方法。
（項目１０７）
前記針レセプタクルは、第２の針レセプタクルに連結され、前記方法はさらに、前記第２の針レセプタクルの第２の進入ゾーン上に第２の縫合針を配置するステップと、前記第２の進入ゾーンから前記第２の針レセプタクルの第２の安全ゾーンの中へ前記第２の縫合針を摺動させるステップとを含む、項目１０６に記載の方法。
（項目１０８）
前記安全ゾーンは、針ドライバスロットを備え、前記挿入するステップは、前記安全ゾーンの中に前記縫合針を配置するように、前記針ドライバスロットに沿って前記針ドライバの遠位部分を移動させることを含む、項目１０６に記載の方法。
（項目１０９）
前記安全ゾーンは、前記固着するステップの間に前記縫合針の少なくとも一部に対して圧縮する圧縮部材を備える、項目１０６に記載の方法。
（項目１１０）
前記安全ゾーンは、前記針スロットの中へ延在する複数の突出を備え、前記固着するステップは、前記安全ゾーン内の複数の突出に対して前記縫合針を移動させることを含む、項目１０６に記載の方法。
（項目１１１）
前記針レセプタクルの中へ配置された前記縫合針を検出するステップと、
前記針レセプタクル内に配置された縫合針の数を判定するステップと、
視覚ディスプレイ上で前記針レセプタクル内に配置された前記縫合針の前記数を表示するステップと、をさらに含む、項目１０４に記載の方法。
（項目１１２）
前記針レセプタクルは、電源に電気的に連結される、第１の導体と、第２の導体とを備え、前記針レセプタクル内に配置される前記縫合針は、前記第１の導体および前記第２の導体の両方と接触し、前記検出するステップは、前記第１の導体および前記第２の導体を通る電流を測定することを含む、項目１１１に記載の方法。
（項目１１３）
前記固着するステップは、前記縫合針の端部が前記針レセプタクルに搭載される第１の構造の第１の表面に圧入されるように、前記針レセプタクル内で第１の縫合針を回転させることを含み、前記第１の構造は、変形可能材料、接着材料、もしくは弾性構造のうちの１つ以上を備え、前記第１の構造は、発泡体、弾性膜、もしくは接着剤のうちの１つ以上を備える、項目１０４に記載の方法。
（項目１１４）
前記針レセプタクルは、前記開口部と前記第１の構造との間にオフセットゾーンを備え、前記挿入するステップの間に、前記第１の縫合針は、前記回転させることを可能にする前に前記オフセットゾーンを通して移動させられる、項目１１３に記載の方法。
（項目１１５）
前記針ドライバを用いて前記針レセプタクルの前記開口部を通して第２の縫合針を挿入するステップと、
前記第２の縫合針の端部が前記針レセプタクルに搭載される前記第１の構造の第２の表面に圧入されるように、前記針レセプタクル内で前記第２の縫合針を回転させるステップと、をさらに含む、項目１１３に記載の方法。
（項目１１６）
前記第１の縫合針は、前記針ドライバの長手軸の周囲で時計回り方向に回転させられ、前記第２の縫合針は、前記針ドライバの前記長手軸の周囲で反時計回り方向に回転させられ、前記第１の構造は、発泡体、または接着剤、もしくは変形可能材料のうちの１つ以上を備える、項目１１５に記載の方法。
（項目１１７）
前記針レセプタクルの壁を通して前記縫合針を視認するステップであって、前記壁は、透明である、ステップと、
前記針レセプタクル内に配置された縫合針を数えるステップと、さらに含む、項目１０４に記載の方法。
（項目１１８）
前記針レセプタクルは、手術道具の近位部分上に搭載される、項目１０４に記載の方法。
（項目１１９）
進入ゾーンおよび安全ゾーンを有する、下部構造と、
安全ゾーンを有する、上部構造と、
前記下部構造と前記上部構造との間に１本以上の縫合針を受容するための針スロットと、前記上部構造の一部を通って延在する、針ドライバスロットと、を備える、針レセプタクル。
（項目１２０）
前記針ドライバスロットは、前記針スロットと直角である、項目１１９に記載の針レセプタクル。
（項目１２１）
前記針ドライバスロットは、前記下部構造の一部を通って延在する、項目１１９に記載の針レセプタクル。
（項目１２２）
前記針スロットに隣接する圧縮性部材をさらに備える、項目１１９に記載の針レセプタクル。
（項目１２３）
前記針スロットに隣接する複数の突出をさらに備える、項目１１９に記載の針レセプタクル。
（項目１２４）
前記針レセプタクルの前記安全ゾーン内に配置された縫合針の数を検出するように構成される針計数機構をさらに備える、項目１１９に記載の針レセプタクル。
（項目１２５）
電源と、
前記電源に電気的に連結される第１の導体と、
制御回路に電気的に連結される第２の導体と、
前記制御回路に電気的に連結される視覚ディスプレイと、をさらに備え、前記視覚ディスプレイは、前記縫合針が前記第１の伝導性要素および前記第２の伝導性要素の両方と接触させられるときに、前記安全ゾーン内に配置された縫合針の数を示す、項目１２４に記載の針レセプタクル。
（項目１２６）
前記針レセプタクルは、前記針レセプタクルおよび第２の針レセプタクルの両方と直接接触している連結器を通して、前記第２の針レセプタクルに連結される、項目１１９に記載の針レセプタクル。
（項目１２７）
前記連結器は、手術道具の近位端を覆って嵌合するように適合される道具スロットを備える、項目１２６に記載の針レセプタクル。
（項目１２８）
前記安全ゾーン内の前記縫合針の写真画像を取得するためのカメラをさらに備える、項目１１９に記載の針レセプタクル。
（項目１２９）
前記縫合針の前記写真画像を受信機に伝送するための伝送機をさらに備える、項目１２８に記載の針レセプタクル。
（項目１３０）
開口部および内部容積を有する、筐体と、
前記筐体の内面に連結される第１の伸長部材であって、前記第１の部材は、前記筐体の前記内面から内向きに延在する針挿入表面を有する、第１の伸長部材と、を備える、針レセプタクル。
（項目１３１）
前記第１の部材は、変形可能材料、接着材料、もしくは弾性構造のうちの１つ以上を備え、前記変形可能材料は、発泡体、弾性膜、もしくは接着剤のうちの１つ以上を備え、前記内部容積は、実質的に円筒形であり、前記第１の変形可能部材は、前記内面から実質的に半径方向に内向きに前記内部容積の中へ延在する、項目１３０に記載の針レセプタクル。
（項目１３２）
前記筐体の前記内面に連結される第２の伸長部材をさらに備え、前記第１の部材および前記第２の変形可能部材は、前記筐体の前記内面の反対側にあり、前記第２の部材は、変形可能材料、接着材料、もしくは弾性構造のうちの１つ以上を備え、前記第１の部材は、発泡体、弾性膜、もしくは接着剤のうちの１つ以上を備える、項目１３０に記載の針レセプタクル。
（項目１３３）
前記開口部は、前記針の長さより長い伸長スロットを備える、項目１３０に記載の針レセプタクル。
（項目１３４）
前記筐体は、透明である、項目１３０に記載の針レセプタクル。
（項目１３５）
針との接触から外科医の手を保護するための装置であって、
曲線状断面を有する障壁と、
前記障壁を前記外科医の前記手に連結する連結器と、を備え、前記障壁は、縫合パッケージもしくは針レセプタクルのうちの１つ以上を支持するように構成される、装置。
（項目１３６）
前記障壁は、無菌障壁を備え、前記連結器は、無菌連結器を備える、項目１３５に記載の装置。
（項目１３７）
前記障壁は、外科医の手の背側を覆って延在するように定寸される拡張部を備え、前記拡張部は、縫合パッケージもしくは針レセプタクルのうちの１つ以上を支持する剛性を備える、項目１３５に記載の装置。
（項目１３８）
前記障壁は、外科医の手背を覆って延在するように定寸される拡張部を備え、前記拡張部は、前記外科医の背面橈骨側への前記手の移動を可能にするように偏向を備える、項目１３５に記載の装置。
（項目１３９）
前記障壁は、外科医の手を覆って延在するように定寸される拡張部を備える、項目１３５に記載の装置。
（項目１４０）
前記連結器は、第１の脚部もしくは第２の脚部のうちの１つ以上を備える、項目１３５に記載の装置。
（項目１４１）
前記連結器は、第１の脚部と、第２の脚部とを備え、前記第１の脚部は、第１の方向に前記障壁の遠位部分から外向きに延在し、前記第２の脚部は、前記第１の方向と反対である第２の方向に前記障壁の前記遠位部分から外向きに延在する、項目１３５に記載の装置。
（項目１４２）
前記連結器は、複数の近位脚部を備える、項目１３５に記載の装置。
（項目１４３）
前記連結器は、１つ以上のスラップブレスレットを備える、項目１３５に記載の装置。
（項目１４４）
前記連結器は、前記外科医の前腕の一部に巻き付くように構成されるストラップを備え、前記ストラップは、前記障壁の反対縁に連結される、項目１３５に記載の装置。
（項目１４５）
前記連結器は、前記障壁の遠位部分上に配置される親指ループを備え、前記親指ループは、前記外科医の親指に連結するように構成される、項目１３５に記載の装置。
（項目１４６）
前記親指ループは、可撓性材料で作製される、項目１４５に記載の装置。
（項目１４７）
前記親指ループは、前記障壁の中に形成される、項目１４５に記載の装置。
（項目１４８）
前記障壁は、変形して前記手の周囲で湾曲するように構成される可鍛性材料を含む、項目１３５に記載の装置。
（項目１４９）
前記障壁は、前記手の長さと平行に延在する複数の溝を備える、項目１４８に記載の装置。
（項目１５０）
前記障壁は、前記手に対して圧縮されるように構成される内側発泡層を備える、項目１４８に記載の装置。
（項目１５１）
前記障壁は、前記障壁の掌側部分上で針レセプタクルを支持するように構成される、項目１４８に記載の装置。
（項目１５２）
前記障壁は、前記障壁の掌側もしくは橈側部分のうちの１つ以上を用いて縫合パッケージを支持するように構成される、項目１４８に記載の装置。
（項目１５３）
前記障壁の背側部分は、道具ホルダを備える、項目１４８に記載の装置。
（項目１５４）
前記障壁は、独立構成において前記曲線状断面を備える、項目１３５に記載の装置。
（項目１５５）
前記障壁は、曲線状熱成形障壁材料を備える、項目１３５に記載の装置。
（項目１５６）
針スロットおよび針ドライバスロットを有する、筐体を備える、針レセプタクルを提供するステップであって、前記針ドライバスロットは、前記針スロットの側面部分と交差する、ステップと、
針ドライバで縫合針の端部分を把持するステップと、
前記針スロットに沿って前記針ドライバを摺動させることによって、前記針スロットに沿って前記縫合針を移動させるステップと、
前記針スロット内で前記縫合針を解放するステップと、を含む、方法。
（項目１５７）
前記針ドライバは、直線経路または螺旋経路で前記針ドライバスロットを通って移動する、項目１５６に記載の方法。
（項目１５８）
前記針ドライバは、円形経路で前記針ドライバスロットを通って移動する、項目１５６に記載の方法。
（項目１５９）
前記針スロットに隣接して圧縮部材を提供するステップと、
前記針に対して前記圧縮部材を圧縮するステップと、をさらに含む、項目１５６に記載の方法。
（項目１６０）
前記針ドライバの中心軸の周囲に回転トルクを印加するステップをさらに含む、項目１５６に記載の方法。
（項目１６１）
前記針ドライバスロット内の前記針の前記端部分を視認するステップと、
前記視認するステップに基づいて、前記針レセプタクル内の前記針の数を判定するステップと、
をさらに含む、項目１５６に記載の方法。
（項目１６２）
前記針スロットの中へ配置された前記縫合針を検出するステップと、
前記針レセプタクル内の前記針の数を判定するステップと
視覚ディスプレイ上で前記針レセプタクル内の前記針の前記数を表示するステップと、をさらに含む、項目１５６に記載の方法。
（項目１６３）
障壁を提供するステップと、
前記針レセプタクルを前記障壁に連結するステップと、をさらに含む、項目１５６に記載の方法。
（項目１６４）
前記障壁は、外科医の手の上に配置されるように適合される、項目１６３に記載の方法。
（項目１６５）
前記障壁から延在する１つ以上のストラップを提供するステップをさらに含み、前記ストラップは、前記障壁を外科医の手に固着するように適合される、項目１６３に記載の方法。
（項目１６６）
幅および厚さを有する、断面を有する筐体と、
前記筐体の前記断面内に使用済みの縫合針を格納するための針スロットと、
前記筐体の前記厚さを通って延在する、針ドライバスロットであって、前記針ドライバスロットは、前記針スロットの側面部分と交差する、針ドライバスロットと、
上部構造の一部を通って延在する、針ドライバスロットと、を備える、針レセプタクル。
（項目１６７）
前記針ドライバスロットは、前記針スロットと実質的に垂直である、項目１６６に記載の針レセプタクル。
（項目１６８）
前記針ドライバスロットは、円形部分または螺旋部分を有する、項目１６６に記載の針レセプタクル。
（項目１６９）
前記針レセプタクルはさらなる部材を備える、項目１６６に記載の針レセプタクル。
（項目１７０）
前記針レセプタクルはさらに、前記針スロットに隣接する圧縮性部材を備える、項目１６６に記載の針レセプタクル。
（項目１７１）
前記針レセプタクルはさらに、前記針レセプタクルの中の針の数を検出するための針計数機構を備える、項目１６６に記載の針レセプタクル。
（項目１７２）
前記針レセプタクルはさらに、
電源と、
針計数回路に電気的に連結される視覚ディスプレイと、を備え、前記視覚ディスプレイは、前記針レセプタクルの中の針の数を示す、項目１７１に記載の針レセプタクル。
（項目１７３）
障壁をさらに備え、前記針レセプタクルは、前記障壁に取り付けられる、項目１６６に記載の針レセプタクル。
（項目１７４）
前記障壁に取り付けられた縫合パックを保持するための縫合パックホルダをさらに備える、項目１７３に記載の針レセプタクル。
（項目１７５）
前記障壁を外科医の手に固着するように適合される前記障壁の側面から延在する、１つ以上のストラップをさらに備える、項目１７３に記載の針レセプタクル。
（項目１７６）
縫合針を取り扱うための装置であって、縫合パッケージおよび針レセプタクルを受容するように構成される、支持体を備える、装置。
（項目１７７）
縫合針を取り扱うための装置であって、
縫合パッケージおよび使用済み針ホルダを取り付けるプラットフォームを備える、装置。
（項目１７８）
複数の汚染された外科用縫合針を受容するための装置であって、各針は、先端と、後端と、前記先端と前記後端との間に延在する針本体とを備え、
最上部および底部を有する、筐体と、
それを通して挿入される汚染された外科用針を受容するように構成および定寸される、前記最上部と前記底部との間の少なくとも１つの開口部と、
窓と、
各先端および後端を伴って前記窓を通して数えるための配列で前記複数の汚染された外科用針を保持する、前記筐体内の無害ゾーンと、を備える、装置。
（項目１７９）
汚染された外科用縫合針を受容するための装置であって、前記針は、先端と、後端と、前記先端と前記後端との間に延在する針本体とを有し、
最上部および底部を有する、筐体と、
それを通して挿入される汚染された外科用針を受容するように構成および定寸される、前記最上部と前記底部との間の少なくとも１つの開口部と、
固着された前記針先端を伴う配向で前記汚染された外科用針を保持する、前記筐体内の安全ゾーンと、を備える、装置。
（項目１８０）
前記配向は、所定の配向を備える、項目１７９に記載の装置。
（項目１８１）
前記少なくとも１つの開口部は、側方配向で前記汚染された外科用針を受容するように構成および定寸される、項目１７９に記載の装置。
（項目１８２）
前記外科用針は、曲線状針であり、前記曲線状針本体の少なくとも一部は、その前記先端または前記後端の前に前記開口部に進入する、項目１８０に記載の装置。
（項目１８３）
前記最上部および前記底部に接続され、その間に延在する、第１の側面と、前記最上部および前記底部に接続され、その間に延在する、第２の側面と、第１の端部と、第２の端部とをさらに備え、前記少なくとも１つの開口部は、前記第１の端部内に配置される、項目１７９に記載の装置。
（項目１８４）
前記最上部および前記底部は、形状が円形である、項目１７９に記載の装置。
（項目１８５）
前記安全ゾーンは、複数の汚染された外科用針を受容するように構成および定寸される、項目１７９に記載の装置。
（項目１８６）
前記最上部の少なくとも一部は、前記安全ゾーン内に配置される汚染された針の視覚化を可能にするために十分に透明である、項目１７９に記載の装置。
（項目１８７）
前記装置は、その中に含まれる複数の汚染された外科用針の点検および計数を可能にする窓を含む、項目１７９に記載の装置。
（項目１８８）
前記複数の汚染された外科用針は、少なくとも５本の外科用針を含む、項目１８７に記載の装置。
（項目１８９）
前記筐体最上部は、針ドライバの制御下で前記筐体の中への前記汚染された外科用針の挿入を促進する、前記針ドライバの先端を受容するように構成および定寸されるスロットを含む、項目１７９に記載の装置。
（項目１９０）
前記スロットは、前記針の後端を視認するようにオフセットされる、項目１８９に記載の装置。
（項目１９１）
前記スロットは、直線状である、項目１８９に記載の装置。
（項目１９２）
前記スロットは、曲線状である、項目１８９に記載の装置。
（項目１９３）
前記スロットは、真っすぐであり、前記最上部の中心に沿って配向される、項目１８９に記載の装置。
（項目１９４）
前記スロットは、真っすぐであり、前記最上部の長手軸を外れて配向される、項目１８９に記載の装置。
（項目１９５）
複数のスロットをさらに備える、項目１８９に記載の装置。
（項目１９６）
前記スロットは、前記スロットに対する具体的配向に前記針ドライバを配向するように構成および定寸される、項目１８９に記載の装置。
（項目１９７）
前記安全ゾーンは、所定の配向で複数の汚染された外科用針を保持するように針保定特徴を含む、項目１７９に記載の装置。
（項目１９８）
前記最上部と底部との間で前記汚染された外科用針を保持するように針保定特徴をさらに備える、項目１７９に記載の装置。
（項目１９９）
前記針保定特徴は、前記最上部と底部との間に配置される発泡体を備える、項目１９８に記載の装置。
（項目２００）
前記発泡体は、ウレタンフォームを含む、項目１９９に記載の装置。
（項目２０１）
前記針保定特徴は、前記最上部と底部との間に配置される面ファスナを備える、項目１９７に記載の装置。
（項目２０２）
前記針保定特徴は、前記最上部および底部の一方または両方から延在する、複数の突出を備える、項目１９８に記載の装置。
（項目２０３）
前記複数の突出は、くぼみを備える、項目２０２に記載の装置。
（項目２０４）
前記複数の突出は、突起を備える、項目２０２に記載の装置。
（項目２０５）
前記複数の突出は、フィラメントを備える、項目２０２に記載の装置。
（項目２０６）
前記複数の突出は、前記針が前記安全ゾーンの中へ入ることを可能にするように、および前記少なくとも１つの開口部に向かった前記針の移動に抵抗するように、前記少なくとも１つの開口部から離れて角度を付けられる、項目２０２に記載の装置。
（項目２０７）
前記針保定特徴は、前記最上部と底部との間に配置されるフラップを備える、項目２０６に記載の装置。
（項目２０８）
前記針保定特徴は、前記最上部と底部との間に配置されるゲルを備える、項目１９８に記載の装置。
（項目２０９）
前記針保定特徴は、前記最上部と底部との間に配置される半球小隆起を備える、項目１９８に記載の装置。
（項目２１０）
前記針保定特徴は、前記最上部と底部との間に配置される傾斜剛毛を備える、項目１９８に記載の装置。
（項目２１１）
前記近接した手術野内で前記装置を搭載するための前記筐体に取り付けられた無菌搭載部材をさらに含む、項目１７９に記載の装置。
（項目２１２）
前記最上部および底部は、射出成形される、項目１７９に記載の装置。
（項目２１３）
前記最上部および底部は、ともにスナップ嵌合される、項目１７９に記載の装置。
（項目２１４）
前記最上部および底部は、ともに溶接される、項目１７９に記載の装置。
（項目２１５）
前記最上部および底部は、ともに超音波溶接される、項目２１３に記載の装置。
（項目２１６）
前記最上部および底部は、接着接続される、項目１７９に記載の装置。
（項目２１７）
前記頂面は、透明ポリカーボネートを含む、項目１７９に記載の装置。
（項目２１８）
前記最上部および底部は、ポリカーボネートを含む、項目１７９に記載の装置。
（項目２１９）
前記頂面を通るスロットをさらに備える、項目１７９に記載の装置。
（項目２２０）
前記最上部および底部は、可撓性である、項目１７９に記載の装置。
（項目２２１）
前記最上部および底部は、剛性である、項目１７９に記載の装置。
（項目２２２）
前記最上部および底部の一方または両方は、進入ゾーン、遷移ゾーン、および安全ゾーンを画定する、項目１７９に記載の装置。
（項目２２３）
前記進入ゾーンは、前記進入ゾーンに向かった前記針の移動を促進するように前記進入ゾーンより幅が広い、降着ゾーンを画定する、項目２２１に記載の装置。
（項目２２４）
前記進入ゾーンは、前記頂面内のスロットに向かって汚染された針を保持する針ドライバを押勢する少なくとも１つの構造を含む、項目２２２に記載の装置。
（項目２２５）
前記構造は、前記進入ゾーンのＶ字形進入縁を含む、項目２２３に記載の装置。
（項目２２６）
前記装置を含む無菌パッケージをさらに備える、項目１７９に記載の装置。
（項目２２７）
前記近接した手術野内で前記装置を搭載するための前記筐体に取り付けられた無菌搭載部材をさらに含む、項目１７９に記載の装置。
（項目２２８）
前記搭載装置は、外科医の前腕に搭載されるように構成および定寸される障壁を備える、項目２２６に記載の装置。
（項目２２９）
前記障壁は、外科用針および縫合糸の無菌パッケージを支持するように構成および定寸される、項目２２６に記載の装置。
（項目２３０）
針を刺すことを阻止する障壁と、手、橈側前腕、もしくは掌側前腕のうちの１つ以上を覆って縫合パックもしくは針レセプタクルのうちの１つ以上を安定して支持するように構成される表面とを伴って構成される、無菌手術衣、無菌手袋、もしくは無菌カバーのうちの１つ以上を備える、装置。
（項目２３１）
針を刺すことを阻止する障壁と、近接した手術野内で縫合パックもしくは針レセプタクルのうちの１つ以上を安定して支持するように構成される表面とを伴って構成される、無菌カバーもしくは無菌ドレープのうちの１つ以上を備える、装置。
（項目２３２）
無菌縫合糸の無菌パッケージと、
少なくとも１つの汚染された外科用縫合針を受容するための無菌装置と、
を含む、無菌エンクロージャを備える、外科用縫合キット。
（項目２３３）
無菌縫合糸の無菌パッケージと、
少なくとも１つの汚染された外科用縫合針を受容するための無菌装置であって、前記針は、先端と、後端と、前記先端と前記後端との間に延在する針本体とを有する無菌装置とを含む無菌エンクロージャを備える外科用縫合キットであって、前記装置が、
最上部および底部を有する、無菌筐体と、
それを通して挿入される汚染された外科用針を受容するように構成および定寸される、前記最上部と前記底部との間の少なくとも１つの開口部と、
固着された前記針先端を伴う所定の配向で前記汚染された外科用針を保持する、前記筐体内の安全ゾーンと、を含む、外科用縫合キット。
（項目２３４）
前記無菌縫合糸のパッケージおよび前記少なくとも１つの汚染された外科用縫合針を受容するための前記装置を支持するように構成および定寸される、障壁をさらに備える、項目２３２に記載の外科用キット。
（項目２３５）
前記障壁層は、外科医の前腕に搭載されるように構成および定寸される、項目２３４に記載の外科用キット。
（項目２３６）
使用済み針ホルダの中に針を配置するステップを含む、方法。
（項目２３７）
使用済み針ホルダを備える、装置。
（項目２３８）
使用済みの針を固着するための手段を備える、装置。
（項目２３９）
無菌筐体と、
前記筐体内に配置される、縫合糸分与部分であって、１つ以上の無菌縫合針を支持するように構成される、縫合糸分与部分と、
前記筐体内に配置される、針レセプタクル部分であって、複数の分与された縫合針を固着するように構成される、針レセプタクル部分と、を備える、縫合糸を取り扱うための装置。
（項目２４０）
分与された針を安定させ、無害の状態にするための針レセプタクル手段を備える、装置。
（項目２４１）
分与された針を安定させ、無害の状態にするための針レセプタクル手段と、
前記針レセプタクル手段の中に分与された針を配置するために、前記針レセプタクル手段を支持するための障壁手段と、を備える、装置。
（項目２４２）
分与された針を安定させ、無害の状態にするための針レセプタクル手段と、
前記針レセプタクル手段の中に分与された針を配置するために、前記針レセプタクル手段を支持するための障壁手段と、を備える、装置。
（項目２４３）
分与された針のレセプタクルと、
縫合パッケージと、
前記分与された針のレセプタクルもしくは前記縫合パッケージのうちの１つ以上を支持し、障壁を通した針貫通を阻止する障壁であって、前記分与された針のレセプタクル、前記縫合パッケージ、および前記障壁は、外科医の近接した手術野内で配列される、障壁と、を備える、無菌手術室内で使用するための装置。
（項目２４４）
５つ以上の分与された外科用針を備える、分与された針のレセプタクルを備え、前記分与された外科用針は、前記針レセプタクル内で安定させられて無害であり、前記針レセプタクルは、前記安定させられた無害の分与された針を数えるための開口部、窓、もしくは透明材料のうちの１つ以上を備え、前記針は、前記レセプタクル内で数えるために配列される、無菌手術室内で使用するための装置。
（項目２４５）
中立ゾーンから、５つ以上の分与された外科用針を備える分与された針のレセプタクルを受容するステップを含み、前記分与された外科用針は、前記針レセプタクル内で安定させられて無害であり、前記針レセプタクルは、前記安定させられた無害の分与された針を数えるための開口部、窓、もしくは透明材料のうちの１つ以上を備え、前記針は、前記レセプタクル内で数えるために配列される、分与された針を固着するための方法。
（項目２４６）
方法であって、
針ドライバを用いて縫合針を針レセプタクルの開口部に挿入するステップであって、前記針レセプタクルは、複数の５つ以上の分与された針を格納するように構成される、ステップと、
前記針ドライバから前記分与された針を解放するステップであって、前記分与された針は、安定させられ、無害であり、チャネル、開口部、窓、もしくは透明材料のうちの１つ以上を通して、コンテナの中で数えるために４つ以上の安定化された無害の分与された針を伴って配列される、ステップと、を含む、方法。
（項目２４７）
針を取り扱うための装置であって、
複数の針を分与するように構成される、縫合パッケージと、
複数の分与された針を格納するように構成される、針レセプタクルと、
前記縫合パッケージもしくは前記針レセプタクルのうちの１つ以上を支持するように構成される、支持体と、を備える、装置。
（項目２４８）
縫合針を取り扱うための方法であって、
支持体上に搭載される縫合パッケージから針を分与するように、針ドライバで前記針を把持するステップと、
前記支持体上に搭載される針レセプタクルの中へ前記分与された針を配置するステップと、を含む、方法。
（項目２４９）
約６オンス（１７０グラム）を超えない重量を備える、障壁と、
直線状アレイの中で少なくとも約８本の針を受容して格納するように、少なくとも約５本の針の容量と、約０．５インチ（１２．５ｍｍ）を超えない全体的な厚さと、約５インチ（１２７ｍｍ）を超えない長さと、約２．５インチ（６３．５ｍｍ）を超えない幅とを備える、針レセプタクルと、を備える、前記項目のいずれか１項に記載の装置または方法。
（項目２５０）
約６オンス（１７０グラム）を超えない重量を備える、障壁と、
弓形アレイの中で少なくとも約８本の針を受容して格納するように、少なくとも約８本の針の容量と、約０．５インチ（１２．５ｍｍ）を超えない全体的な厚さと、約５インチ（１２７ｍｍ）を超えない長さと、約４インチ（１０１．６ｍｍ）を超えない幅とを備える、針レセプタクルと、を備える、前記項目のいずれか１項に記載の装置または方法。
（項目２５１）
前記針レセプタクルは、順序付けられたアレイの中で複数の縫合針を受容するように定寸される伸長断面を有する、チャネルと、針ドライバを受容し、前記順序付けられたアレイの前記複数の針の間に配置するために前記チャネルに沿って前記複数のうちの縫合針を前進させるように前記チャネルの中へ延在する、スロットとを備える、前記項目のいずれか１項に記載の装置、方法、または針レセプタクル。
（項目２５２）
針を刺すことを阻止する障壁と、手、橈側前腕、もしくは掌側前腕のうちの１つ以上を覆って縫合パックもしくは針レセプタクルのうちの１つ以上を安定して支持するように構成される表面とを伴って構成される、無菌手術衣、無菌手袋、もしくは無菌カバーのうちの１つ以上をさらに備える、前記項目のいずれか１項に記載の装置、方法、または針レセプタクル。
（項目２５３）
無菌カバーもしくは無菌ドレープのうちの１つ以上は、針を刺すことを阻止する障壁と、縫合パックもしくは針レセプタクルのうちの１つ以上を安定して支持するように構成される表面とを伴って構成される、前記項目のいずれか１項に記載の装置、方法、または針レセプタクル。
（項目２５４）
前記装置、方法、または針レセプタクルは、近接した手術野の中および外への複数の縫合針の通過を可能にし、それによって、外科医と外科助手との間の個々の縫合針の手渡しを排除する、前記項目のいずれか１項に記載の装置、方法、または針レセプタクル。
（項目２５５）
近接した手術野からの外科医による縫合針の分与を含む、前記項目のいずれか１項に記載の装置、方法、または針レセプタクル。
（項目２５６）
近接した手術野内で１つ以上の縫合針パッケージを搭載するための手段を備える、前記項目のいずれか１項に記載の装置、方法、または針レセプタクル。
（項目２５７）
外科医の腕の上に搭載される針抵抗障壁を備え、前記針抵抗障壁は、１つ以上の縫合針パッケージのための搭載表面を提供するように構成される、前記項目のいずれか１項に記載の装置、方法、または針レセプタクル。
（項目２５８）
針抵抗障壁は、軽量材料を含み、外科医の腕、手首、もしくは手のうちの１つ以上に順応するように構成される、前記項目のいずれか１項に記載の装置、方法、または針レセプタクル。
（項目２５９）
針抵抗障壁は、可撓性ウェブと統合される薄い穿刺抵抗材料を含む、前記項目のいずれか１項に記載の装置、方法、または針レセプタクル。
（項目２６０）
針抵抗障壁は、所定範囲の前腕サイズに適応するために調節するように構成される、前記項目のいずれか１項に記載の装置、方法、または針レセプタクル。
（項目２６１）
針抵抗障壁は、可撓性ウェブによって接続される複数の双安定ばねを備える、前記項目のいずれか１項に記載の装置、方法、または針レセプタクル。
（項目２６２）
針抵抗障壁は、可鍛性金属材料の屈曲を制御するように、１つ以上の溝を有する、可鍛性金属材料を含む、前記項目のいずれか１項に記載の装置、方法、または針レセプタクル。
（項目２６３）
針抵抗障壁は、１つ以上のヒンジを有する、プラスチック材料を含む、前記項目のいずれか１項に記載の装置、方法、または針レセプタクル。
（項目２６４）
針抵抗障壁は、片手で迅速に着用されて外されるように構成される、前記項目のいずれか１項に記載の装置、方法、または針レセプタクル。
（項目２６５）
針抵抗障壁は、圧縮力を調節するように複数の積重双安定ばねを備える、前記項目のいずれか１項に記載の装置、方法、または針レセプタクル。
（項目２６６）
針抵抗障壁は、前腕もしくは手首のうちの１つ以上の背側上にモジュール式搭載表面を提供するように構成され、前記モジュール式搭載表面は、１つ以上の手術道具もしくは材料を支持するように構成される、前記項目のいずれか１項に記載の装置、方法、または針レセプタクル。
（項目２６７）
縫合針パッケージは、外科医の腕、手首、もしくは手の甲のうちの１つ以上の上に搭載するように構成される、前記項目のいずれか１項に記載の装置、方法、または針レセプタクル。
（項目２６８）
縫合針パッケージは、前記針レセプタクル上に搭載するように構成される、前記項目のいずれか１項に記載の装置、方法、または針レセプタクル。
（項目２６９）
針抵抗障壁は、前腕もしくは手首のうちの１つ以上の掌側に保護を提供するように構成される、前記項目のいずれか１項に記載の装置、方法、または針レセプタクル。
（項目２７０）
前記針レセプタクルは、外科用ドレープに連結するように構成される、前記項目のいずれか１項に記載の装置、方法、または針レセプタクル。
（項目２７１）
前記針レセプタクルは、外科医の前腕上に搭載される針抵抗障壁に連結するように構成される、前記項目のいずれか１項に記載の装置、方法、または針レセプタクル。
（項目２７２）
前記針レセプタクルは、片手で針抵抗障壁を取り付けて脱離させるように構成される、前記項目のいずれか１項に記載の装置、方法、または針レセプタクル。
（項目２７３）
前記針レセプタクルは、手術道具に取り付けられるように構成される、前記項目のいずれか１項に記載の装置、方法、または針レセプタクル。
（項目２７４）
前記針レセプタクルは、手術道具に取り付けられるように構成され、前記針レセプタクルは、手術道具の種々のハンドル幅および厚さに適応するように構成される、前記項目のいずれか１項に記載の装置、方法、または針レセプタクル。
（項目２７５）
前記針レセプタクルは、外科用衣服に組み込まれる針抵抗障壁に連結するように構成される、前記項目のいずれか１項に記載の装置、方法、または針レセプタクル。
（項目２７６）
前記針レセプタクルは、手術衣、手術衣の袖、または拡張手袋に組み込まれる針抵抗障壁に連結するように構成される、前記項目のいずれか１項に記載の装置、方法、または針レセプタクル。
（項目２７７）
前記針レセプタクルは、カプセル化もしくは被覆のうちの１つ以上によって複数の使用済みの縫合針の先端および後端の両方からの保護を提供するように構成される、前記項目のいずれか１項に記載の装置、方法、または針レセプタクル。
（項目２７８）
前記針レセプタクルは、意図しない除去もしくは抜去のうちの１つ以上を阻止するように構成される、前記項目のいずれか１項に記載の装置、方法、または針レセプタクル。
（項目２７９）
前記針レセプタクルは、最小限の手と目の精度で針が挿入されることを可能にすることによって、前記針レセプタクルの中への針挿入を促進するように構成される、前記項目のいずれか１項に記載の装置、方法、または針レセプタクル。
（項目２８０）
前記針レセプタクルは、手技中および後に針を数えるための手段を備える、前記項目のいずれか１項に記載の装置、方法、または針レセプタクル。
（項目２８１）
前記針レセプタクルは、薄型かつ軽量である、前記項目のいずれか１項に記載の装置、方法、または針レセプタクル。
（項目２８２）
前記針レセプタクルは、種々の位置において針ドライバの中で保持される針を受容するように構成される、前記項目のいずれか１項に記載の装置、方法、または針レセプタクル。
（項目２８３）
前記針レセプタクルは、前記針ドライバを磁化することを阻止するように構成される、前記項目のいずれか１項に記載の装置、方法、または針レセプタクル。
（項目２８４）
前記針レセプタクルは、少なくとも約５本の針を受容するように構成される、前記項目のいずれか１項に記載の装置、方法、または針レセプタクル。
（項目２８５）
近接した手術野内に配置されたカッタを使用する、外科医による縫合糸の切断をさらに含む、前記項目のいずれか１項に記載の装置、方法、または針レセプタクル。
（項目２８６）
カッタは、外科医の指上に搭載される、前記項目のいずれか１項に記載の装置、方法、または針レセプタクル。
（項目２８７）
カッタは、針抵抗障壁上に搭載される、前記項目のいずれか１項に記載の装置、方法、または針レセプタクル。
（項目２８８）
カッタは、巻き取りスプールを伴うケーブル上に格納式鋏を備える、前記項目のいずれか１項に記載の装置、方法、または針レセプタクル。
（項目２８９）
カッタは、統合および埋め込み型ブレードを備える、前記項目のいずれか１項に記載の装置、方法、または針レセプタクル。
（項目２９０）
カッタは、手術道具上に搭載される、前記項目のいずれか１項に記載の装置、方法、または針レセプタクル。
（項目２９１）
カッタは、針レセプタクルと統合される、前記項目のいずれか１項に記載の装置、方法、または針レセプタクル。
（項目２９２）
カッタは、外科医の手袋への意図しない損傷を防止するように構成される、前記項目のいずれか１項に記載の装置、方法、または針レセプタクル。
（項目２９３）
方法であって、前記項目のいずれか１項に記載の装置を提供するステップを含む、方法。